(57)【要約】      （修正有）【課題】スピーカの音圧測定試験中に火災が発生した場合の対応を適切かつ迅速に行える連動型の警報器を提供する。【解決手段】試験実行部６８は、通常監視状態における警報停止スイッチ２０の押分け等による試験実行操作を検知した場合、所定パターンの火災警報音の内の音圧測定の対象となるスイープ警報音などの所定箇所をスピーカ５６から試験音として出力させる。試験中断部７０は試験中に火災発生を検知した場合、音圧測定試験を中断し、試験中に火災が発生したことを示す異なるパターンの火災警報音を出力させる。遠隔試験指示部７２は試験音の出力処理が終了した後に、他の警報器に遠隔試験実行を示すイベント信号を送信し、異状警報音の内の音圧測定対象となる所定箇所を試験音として出力させて音圧測定試験を実施させる。【選択図】図１０
0003190746.tif 000002
【実用新案登録請求の範囲】
【請求項１】
火災等の異状発生を検知した場合に連動元を示すメッセージ及び警報音を含む所定パターンの異状警報音を出力すると共に他の警報器に異状発生を示すイベント信号を送信し、一方、他の警報器からの異状発生を示すイベント信号受信を検知した場合に連動先を示す所定パターンの異状警報音を出力させる監視制御部と、
操作部による音圧測定試験の実行操作を検知した場合、前記所定パターンの異状警報音の内の音圧測定の対象となる所定箇所を試験音として出力させて音圧測定試験を実施可能とする試験実行部と、
前記試験実行部による前記試験音の出力処理が終了した後に、他の警報器に遠隔試験実行を示すイベント信号を送信する遠隔試験指示部と、
他の警報器から前記遠隔試験実行を示すイベント信号受信を検知した場合、前記監視制御部に、前記異状警報音の内の音圧測定対象となる所定箇所を試験音として出力させる処理を行わせて音圧測定試験を実施可能とする遠隔試験実行部と、
前記試験実行部または遠隔試験実行部による前記試験音の出力処理中に自己の前記監視制御部により異状発生を検知した場合、前記前記試験音の出力処理を中断して前記所定パターンの異状警報音を出力させる試験中断部と、
を設けたことを特徴とする警報器。
【請求項２】
請求項１記載の警報器に於いて、前記操作部は前記監視制御部により出力している前記所定パターンの異状警報音を停止する警報停止スイッチを備え、
前記試験実行部は、通常監視状態における前記警報停止スイッチの操作を検知して前記音圧測定試験の実行操作を判別することを特徴とする警報器。
【請求項３】
請求項１載の警報器に於いて、前記遠隔試験指示部は、他の警報器に音圧測定試験開始を示すイベント信号を送信し、所定時間後に、他の警報器に音圧測定試験終了を示すイベント信号を送信することを特徴とする警報器。
【請求項４】
請求項１記載の警報器に於いて、
前記遠隔試験指示部は、他の警報器に音圧測定試験開始を示すイベント信号を送信し、
前記試験実行部は前記音圧測定試験開始を示すイベント信号を有効受信してから所定時間に亘り前記試験音を出力させることを特徴とする警報器。
【請求項５】
請求項３又は４記載の警報器に於いて、前記試験実行部は前記音圧測定試験開始を示すイベント信号を有効受信してから所定の遅延時間後に前記試験音を出力させることを特徴とする警報器。
【請求項６】
請求項１記載の警報器に於いて、前記試験中断部は、音圧測定試験中に前記監視制御部により異状発生を検知した場合、前記試験音の出力処理を途中で中断した後に前記所定パターンの異状警報音を出力させることを特徴とする警報器。
【請求項７】
請求項１記載の警報器に於いて、前記試験中断部は、音圧測定試験中に前記監視制御部により異状発生を検知した場合、前記試験音を中断した後に、試験音の出力中に異状が発生したことを示す前記所定パターンの異状警報音とは異なるパターンの異状警報音を出力させることを特徴とする警報器。
【考案の詳細な説明】
【技術分野】
【０００１】
本考案は、火災等の異状を検知した場合に、自分自身で警報音を出力すると共に他の警報器に異状を示す信号を送信して警報音を出力させる連動型の警報器に関する。
【背景技術】
【０００２】
従来、住宅における火災やガス漏れなどの異状を検知して警報する警報器が普及している。このうち、住宅用火災警報器を住警器と言う。
【０００３】
このような住警器にあっては、住警器内にセンサ部と警報部を一体に備え、センサ部の検知信号から火災を検知すると警報部から所定パターンの火災警報音を出力するようにしており、専用の受信設備等を必要とせず住警器単体で火災監視と警報ができることから、設置が簡単でコスト的にも安価であり、一般住宅での設置義務化に伴い広く普及している。
【０００４】
また、複数の住警器間で通信を行うことによって、任意の住警器で火災警報音が出力されると、他の住警器でも連動して火災警報音を出力させる連動型の住警器システムも提案されている。
【０００５】
このような連動型の住警器システムでは、住警器で火災を検知した場合、火災を検知した連動元の住警器は、メッセージと警報音を含む所定パターンの火災警報音、例えば「ウーウー火災警報器が作動しました  確認してください」を出力し、一方、連動先の警報器では例えば「ウーウー  別の火災警報器が作動しました  確認してください」といった火災警報音を出力するようにしている。ここで、火災警報音の内の「ウーウー」の部分は例えば２Ｈｚから３ＫＨｚまでのスイープ音としている。
【０００６】
このような連動型の警報システムにあっては、住宅に対する施工時及び定期点検時などに設置している住警器のスピーカから所要の音量がでることを確認するため、音圧測定試験を行っている。この音圧測定試験は、試験対象とする住警器から所定距離を隔てた位置に騒音計を設置し、火災警報音の内の音圧が一定で周波数を変化させている音圧測定に適した火災警報音の部分であるスイープ警報音「ウーウー」が出力されたタイミングで騒音計のピーク値を読取るようにしている。
【０００７】
しかしながら、火災警報音の中のスイープ警報音を試験音とした音圧測定試験にあっては、繰り返し出力される火災警報音の中のスイープ警報音の出力時に、測定者は騒音計の指針が揺れる中、そのピーク値を読み取る必要があり、その読み取りに失敗した場合は、再度スイープ警報音の試験音が出力されるまでの間待つ必要があり、音圧測定試験に手間と時間がかかる問題があった。
【０００８】
そこで従来の音圧測定試験では、音声警報信号の中の音圧測定試験に適したスイープ警報音による試験音を連続して出力し、スイープ警報音が出力される測定タイミングを待つことなく音圧測定試験が容易にできるようにしている。
【先行技術文献】
【特許文献】
【０００９】
【特許文献１】特開平８−０１６９７１号公報
【特許文献２】特開平５−２８２５６６号公報
【特許文献３】特開２０００−００３４８６号公報
【考案の概要】
【考案が解決しようとする課題】
【００１０】
ところで、このような従来の連動型警報システムにおける住警器の音圧測定試験にあっては、試験中に万一火災が発生した場合、火災を検知した連動元の住警器およびそれ以外の連動先の住警器から所定パターンの火災警報音を出力する。
【００１１】
しかしながら、音圧測定試験を行っている住警器はスイープ警報音を試験音として連続出力中であることから、試験中の住警器について試験停止操作を行わないと火災警報音を出力することができず、試験を行っている住警器からの火災警報音の出力が適切にできない恐れがある。
【００１２】
本考案は、スピーカの音圧測定試験中に火災が発生した場合の対応を適切かつ迅速に行えるようにする連動型の警報器を提供することを目的とする。
【課題を解決するための手段】
【００１３】
本願考案は、警報器において、
火災等の異状発生を検知した場合に連動元を示すメッセージ及び警報音を含む所定パターンの異状警報音を出力すると共に他の警報器に異状発生を示すイベント信号を送信し、一方、他の警報器からの異状発生を示すイベント信号受信を検知した場合に連動先を示す所定パターンの異状警報音を出力させる監視制御部と、
操作部による音圧測定試験の実行操作を検知した場合、所定パターンの異状警報音の内の音圧測定の対象となる所定箇所を試験音として出力させて音圧測定試験を実施可能とする試験実行部と、
試験実行部による試験音の出力処理が終了した後に、他の警報器に遠隔試験実行を示すイベント信号を送信する遠隔試験指示部と、
他の警報器から遠隔試験実行を示すイベント信号受信を検知した場合、監視制御部に、異状警報音の内の音圧測定対象となる所定箇所を試験音として出力させる処理を行わせて音圧測定試験を実施可能とする遠隔試験実行部と、
試験実行部または遠隔試験実行部による記試験音の出力処理中に自己の前記監視制御部により異状発生を検知した場合、試験音の出力処理を中断して所定パターンの異状警報音を出力させる試験中断部と、
を設けたことを特徴とする。
【００１４】
ここで、操作部は、監視制御部により出力している前記所定パターンの異状警報音を停止する警報停止スイッチを備え、
試験実行部は、通常監視状態における警報停止スイッチの操作を検知して音圧測定試験の実行操作を判別する。
【００１５】
遠隔試験指示部は、他の警報器に音圧測定試験開始を示すイベント信号を送信し、所定時間後に、他の警報器に音圧測定試験終了を示すイベント信号を送信する。
【００１６】
遠隔試験指示部は、他の警報器に音圧測定試験開始を示すイベント信号を送信し、
試験実行部は音圧測定試験開始を示すイベント信号を有効受信してから所定時間に亘り前記試験音を出力させる。
【００１７】
試験実行部は音圧測定試験開始を示すイベント信号を有効受信してから所定の遅延時間後に試験音を出力させる。
【００１８】
試験中断部は、音圧測定試験中に監視制御部により異状発生を検知した場合、試験音の出力処理を途中で中断した後に所定パターンの異状警報音を出力させる。
【００１９】
試験中断部は、音圧測定試験中に監視制御部により異状発生を検知した場合、試験音を中断した後に、試験音の出力中に異状が発生したことを示す所定パターンの異状警報音とは異なるパターンの異状警報音を出力させる。
【考案の効果】
【００２０】
本願考案によれば、特定の警報器について音圧測定試験を行って所定時間後に終了すると、それ以外の警報器に対し順番に住警器識別情報を指定した音圧測定試験を示すイベント信号を送って遠隔的に音圧測定試験が実行され、音圧測定試験を行う住警器の順番を予め測定員が認識しておくことで、住警器毎に音圧測定試験の実行操作を行うことなく、複数の警報器の音圧測定試験を容易に行うことができる。
【００２１】
また、連動型の警報器に設けたスピーカから、火災警報音の中の音圧測定試験に適した信号箇所、例えばスイープ警報音の箇所を試験音として繰り返し出力している試験中に火災発生が検知された場合、試験音を出力する音圧測定試験を中断して所定パターンの火災警報音を出力させるため、試験中の警報器であっても、音圧測定試験の停止操作などを行うことなく、自動的に音圧測定試験が中断されて適切に所定パターンの火災警報音が出力され、試験中であっても火災発生に対し適切且つ迅速に対応できる。
【００２２】
また、操作部による音圧測定試験の実行操作を検知すると、所定時間に亘り試験音が出力され、試験停止操作を必要としないことから、試験作業が容易になる。また、音圧測定試験中に必要があれば警報停止スイッチを操作することで、試験音の出力を容易に停止させることができ、使い勝手が良い。
【００２３】
また、試験中に火災が発生した場合、試験音を途中で中断して火災発生場所を示す音声メッセージを含む火災警報音が出力され、試験音から明確に区別した火災報知ができる。
【００２４】
また、試験中に火災が発生した場合、試験中に火災が発生したことを示す音声メッセージを入れた火災警報音を出力することで、試験中に火災が発生したことが確実に伝わり、試験音から明確に区別できるため、火災発生に対し適切且つ迅速に対応ことができる。
【図面の簡単な説明】
【００２５】
【図１】本考案の連動型の住警器による監視システムを設置した住宅を示した説明図
【図２】本考案による住警器の外観を示した説明図
【図３】本願の第１考案による住警器の音圧測定試験と試験中に火災が発生した場合の動作を示した説明図
【図４】図３に示す音圧試験動作を行う本願の第１考案による住警器の実施形態を示したブロック図
【図５】図３の実施形態で使用するイベント信号および装置イベント信号のフォーマットを示した説明図
【図６】図４の住警器による監視処理を示したフローチャート
【図７】図６に続く住警器の監視処理を示したフローチャート
【図８】図７のステップＳ１９における音圧測定試験処理の詳細を示したフローチャート
【図９】本願の第２考案による他の実施形態の住警器の遠隔音圧測定試験と試験中に火災が発生した場合の動作を示した説明図
【図１０】図９に示す音圧試験動作を行う本願の第２考案による住警器の他の実施形態を示したブロック図
【図１１】図１０の実施形態で使用するイベント信号および装置イベント信号のフォーマットを示した説明図
【図１２】図１１に続く音圧測定試験処理の詳細を示したフローチャート
【図１３】図１１に続く音圧測定試験の遠隔処理の詳細を示したフローチャート
【考案を実施するための形態】
【００２６】
図１は住宅に対する本考案の住警器を用いた警報システムの設置状態を示した説明図である。図１の例にあっては、住宅２４に設けられている居間、台所、子供部屋、主寝室、階段室のそれぞれの警戒エリアに火災を検知して警報する無線式の住警器（住宅用火災警報器）１０−１〜１０−５が設置されている。
【００２７】
住警器１０−１〜１０−５は、イベント信号を無線により相互に送受信する機能を備え、住宅各所の、それぞれ対応する監視領域について火災監視を行っている。いま住宅２４の台所で万一、火災が発生したとすると、火災発生場所（台所）の住警器１０−１が火災を検知して警報を開始する。この火災を検知して警報を開始することを、住警器における「発報」という。
【００２８】
住警器１０−１が発報する場合、住警器１０−１は連動元として機能し、連動先となる他の住警器１０−２〜１０−５に対し、火災発生を示すイベント信号を無線により送信する。他の住警器１０−２〜１０−５は、連動元の住警器１０−１からの火災発生を示すイベント信号を有効受信した場合に、警報音と警報表示により連動先としての警報動作を行う。
【００２９】
ここで有効受信とは、受信したイベント信号に含まれるグループ符号がメモリに登録しているグループ符号に一致したときに、このイベント信号を有効受信したことを検知する。また住警器１０−１〜１０−５から送信するイベント信号には、送信元の住警器を示す識別情報として例えば送信元符号が含まれている。なお、イベント信号を有効受信した住警器は必要に応じイベント信号の中継送信を行う。
【００３０】
住警器が検知する自己のイベントとしては、上述の火災発生だけでなく、火災復旧、警報停止操作、また音圧測定試験の実行操作等があり、また他の警報器からの各種イベント信号受信も含まれる。これらについては後述する。
【００３１】
連動元となった住警器１０−１の警報動作としては、例えば「ウーウー  火災警報器が作動しました  確認してください」といった警報音とメッセージを含む所定パターンの警報音を出力する。一方、連動先の住警器１０−２〜１０−５にあっては、「ウーウー  別の火災警報器が作動しました  確認してください」といった火災警報音を出力する。
【００３２】
このような火災警報音の内、「ウーウー」の部分はスピーカを駆動する火災警報信号の信号振幅が一定で周波数が例えば２〜３ＫＨｚで変化するスイープ警報音であり、本実施形態における音圧測定にあっては、火災警報音の中のスイープ音「ウーウー」を音圧試験の対象となる試験音として連続出力させる。
【００３３】
また連動元となった住警器１０−１の警報に伴う表示（警報表示という）としては、例えばＬＥＤを点灯させる。一方、連動先の住警器１０−２〜１０−５にあっては、ＬＥＤを点滅させる。これによって、連動元警報と連動先警報におけるＬＥＤによる警報表示を区別できるようにしている。
【００３４】
なお、連動元のＬＥＤを点滅とし、連動先のＬＥＤを明滅としても良いし、連動元警報と連動先警報のいずれについても、同じＬＥＤの明滅または点滅、点灯表示であっても良い。また例えば赤色ＬＥＤと黄色ＬＥＤを設け、連動元は赤色ＬＥＤを駆動し、連動先は黄色ＬＥＤを駆動するといった２色表示としても良い。もちろん、２つのＬＥＤを一体として、赤色と黄色の両方を発光可能な２色ＬＥＤが採用できる。この他、液晶表示器等を用いも良い。
【００３５】
住警器１０−１〜１０−５が警報音を出している状態で、警報停止スイッチを操作すると、警報音及び警報表示の停止処理が行われる。
【００３６】
このとき例えば、連動元である住警器１０−１で警報停止操作が行われた場合には、全ての住警器１０−２〜１０−５の警報（警報音出力および／または警報表示出力）を停止し、連動先である住警器１０−２〜１０−５の何れかで警報停止操作が行われた場合には、住警器１０−１の警報は停止せず、住警器１０−２〜１０−５の警報を停止するようにする。なお、以下の説明において、住警器１０−１〜１０−５を区別しないで総称する場合には、住警器１０という。
【００３７】
図２は本考案による住警器の外観を示した説明図であり、図２（Ａ）に正面図を、図２（Ｂ）に側面図を示している。なお、取付フック１５を設けているほうを上側とする。
【００３８】
図２において、本実施形態の住警器１０の筐体はカバー１２と本体１４で構成されている。カバー１２の中央には、周囲に複数の煙流入口を開口し、その内部には検煙部１６が配置され、火災による煙が所定濃度に達したときに火災を検知するようにしている。
【００３９】
カバー１２に設けた複数の開口部の内部には検煙部１６を備え、検煙部１６の左下側には音響穴１８が設けられ、この背後にスピーカを内蔵し、警報音と音声メッセージを組み合わせた所定パターンの火災警報音を出力できるようにしている。なお、火災警報音は必ずしも音声メッセージを含む必要はない。
【００４０】
また音圧測定試験を実行した際には、スピーカから火災警報音の中のスイープ警報音の部分を音圧測定の対象となる試験音として所定時間に亘り連続出力するようにしている。
【００４１】
検煙部１６の下側には警報停止スイッチ２０が設けられている。警報停止スイッチ２０は住警器１０の機能の自己点検を指示する点検スイッチとしての機能を兼ねている。たとえば、火災警報中に警報停止スイッチ２０が操作されると警報を停止し、通常状態で警報停止スイッチ２０が操作されると機能点検を実施して結果を報知する。ここで通常状態とは、少なくとも火災警報中および障害警報中でない状態を指す。
【００４２】
更に本実施形態にあっては、通常監視状態で警報停止スイッチ２０を押分け操作、例えば長押し操作すると、音圧測定試験の実行操作が判別され、スピーカから火災警報音の中のスイープ警報音の部分を試験音として所定時間に亘り連続出力させる音圧測定試験の試験実行スイッチとして機能する。
【００４３】
警報停止スイッチ２０は、半透明部材で形成されたスイッチカバーと、スイッチカバーの内部に配置されたプッシュスイッチ（図示せず）とで構成されている。即ち、スイッチカバーを押圧操作すると、プッシュスイッチが押されるようになっている。スイッチカバー内部のプッシュスイッチ近傍には、点線で示すように警報表示を行うＬＥＤ２２が配置されており、ＬＥＤ２２が点灯、点滅、明滅作動すると、作動光が警報停止スイッチ２０のスイッチカバーの部分を透過してＬＥＤ２２の作動状態が外部から分かるようにしている。
【００４４】
また本体１４の裏側上部には略中央部に挿通孔を有する取付フック１５が設けられており、設置する部屋の壁にビスなどをねじ込み、この取付フック１５の挿通孔にビスを通して引っかけることで、壁面に住警器１０を所謂壁掛け状に固定設置することができる。
【００４５】
なお図２の住警器１０にあっては、検煙部１６を備え、火災に伴い発生する煙に基づいて火災を検知する住警器を例に取っているが、これ以外に火災に伴い発生する熱に基づいて火災を検知するサーミスタ等の温度検知素子を備えた住警器や火災に伴うその他の物理現象を検知する住警器、火災以外にガス漏れを検知する警報器、侵入者や地震その他の異状（異状）を検知する各種の警報器、これらを組み合わせて成る警報器についても、本考案の対象に含まれる。そして、本考案の警報システムは、これら各種の警報器を混在させて構成しても良い。
【００４６】
図３は本願の第１考案に対応した住警器による音圧測定試験と試験中に火災が発生した場合の動作を示している。なお第１考案は、実用新案登録請求の範囲の記載に対応しない。
【００４７】
図３（Ａ）は音圧測定試験の様子を示しており、住警器１０−１〜１０−５の中の住警器１０−１の音圧測定試験を例にとっている。住警器１０−１の音圧測定試験を行う場合には、住警器１０−１から１ｍ離れた位置に騒音計２６を設置する。続いて住警器１０−１の警報停止スイッチ２０を長押し操作すると、警報停止スイッチ２０のスイッチ信号から音圧測定試験の実行操作が判別され、音圧測定試験が実行される。
【００４８】
音圧測定試験の実行は、例えば連動元を示す火災警報音「ウーウー  火災警報器が作動しました  確認してください」の中のスイープ警報音「ウーウー」を試験音２５として所定時間に亘り連続的に出力する。この試験音の出力中に測定員は騒音計２６のピーク値を読取り、例えば騒音計２６のピーク値として例えば７０ｄＢ／ｍ以上の測定値が得られれば、正常と判断する。
【００４９】
図３（Ｂ）は住警器１０−１における音圧測定試験の試験中に、他の住警器１０−３で火災発生が判別された場合の動作を示している。住警器１０−１の音圧測定試験中に住警器１０−３で火災発生が判別されると、住警器１０−３は連動元を示す火災警報音２７を出力し、同時に、火災イベント信号を他の住警器１０−１，１０−２，１０−４，１０−５に送信する。
【００５０】
この火災イベント信号を受信した試験中の住警器１０−１は音圧測定試験を中断し、このため試験音の出力が中断し、続いて連動先を示す火災警報音が出力されることになる。勿論、他の住警器１０−２，１０−４，１０−５では連動先を示す火災警報音が出力される。
【００５１】
連動先を示す火災警報音は「ウーウー  別の火災警報器が作動しました  確認してください」となるが、音圧測定試験を中断した住警器については、試験中に火災が発生したことを示すメッセージを含む火災警報音として例えば「ウーウー  試験中に別の火災警報器が作動しました  確認してください」を出力させる。
【００５２】
このように音圧測定試験を中断した住警器１０−１からの火災警報音のメッセージ中に試験中に火災が発生したことを示すメッセージを含ませることで、試験中断後の火災警報音を音圧測定用の試験音と誤認することを防止し、測定員は火災発生を速やかに認識して迅速な初期消火や避難を可能とする。
【００５３】
図４は図３に示した音圧警報試験を行う本願の第１考案による住警器の実施形態を示したブロック図である。これは一例であり、各機能の分離、統合は任意に行うことができる。また各機能のそれぞれの一部または全部は、ソフトウェア（プログラム）によって実行されるものであっても、ハードウェアによって実行されるものであっても良い。また図４では、台所に設置した住警器１０−１について示しているが、他の住警器１０−２〜１０−５についても同様の構成となる。
【００５４】
図４において、住警器１０−１はワンチップＣＰＵとして知られたプロセッサ２８を備え、プロセッサ２８に対してはアンテナ３１を備えた無線通信部３０、メモリ３２、センサ部３４、報知部３６、操作部３８及び電池電源４０を設けている。
【００５５】
無線通信部３０には送信回路４２と受信回路４４が設けられ、他の住警器１０−２〜１０−５との間でイベント信号を無線により送受信できるようにしている。無線通信部３０としては、日本国内の場合には、例えば４００ＭＨｚ帯の特定小電力無線局の標準規格として知られたＳＴＤ−３０（小電力セキュリティシステム無線局の無線設備標準規格）またはＳＴＤ−Ｔ６７（特定小電力無線局テレメータ用、テレコントロール用及びデータ伝送用無線設備の標準規格）に準拠した構成を備える。
【００５６】
もちろん無線通信部３０としては、日本国内以外で使用する場合は、その地域の割当無線局の標準規格に準拠した内容を持つことになる。なお、アンテナ３１、送信回路４２及び送信処理部６２を併せて送信部とし、アンテナ３１、受信回路４４及び受信処理部６４を併せて送信部とする。
【００５７】
メモリ３２には、イベント信号の順番を示す連続番号である連番４８、各住警器を特定する住警器識別情報となる送信元符号５０、図１のように住宅に設置した住警器１０−１〜１０−５で連動警報を行う連動グループを構成するためのグループ符号５２が格納されている。
【００５８】
連番４８はイベント信号を送信する毎に、所定のルールに則って自動生成、更新される（例えばインクリメントされる）符号であり、警報器間の、特に無線通信に於いてイベント信号の中継処理等を管理するためのものであるが、本考案に直接関係しないので詳細な説明を省略する。
【００５９】
送信元符号５０としては、国内に提供される住警器の何れとも同一符号として重複しないように、例えば２６ビットの多ビット符号コードとし、例えば住警器や緊急地震速報装置のシリアル番号等を利用している。
【００６０】
連番４８や送信元符号５０を利用して再中継を許可したり禁止したりすることができ、不要な通信を避ける処理を行うことで、必要に応じた最適な中継を行うことができる。また例えば、連動先端末で中継送信されるイベント信号には、当該連動先端末の送信元符号に加えて連動元端末の送信元符号を付加するようにして、この連動元端末送信元符号から再送信の可否を判定して処理するようにすることもできる。また、中継送信の許可および禁止はこれに加え、イベント信号が示すイベントの内容毎に設定することもできる。
【００６１】
グループ符号５２は連動グループを構成する複数の住警器に共通に設定される符号であり、無線通信部３０で受信したイベント信号に含まれるグループ符号がメモリ３２に登録しているグループ符号５２に一致したときに、このイベント信号を有効な信号として処理することになるので、近隣の住宅等に設置された、連動を要しない他のグループに属する警報器との不要な連動を回避できる。
【００６２】
グループ符号５２は連動グループを構成する複数の住警器に共通に設定される符号であり、無線通信部３０で受信したイベント信号に含まれるグループ符号がメモリ３２に登録しているグループ符号５２に一致したときに、このイベント信号を有効な信号として処理することになるので、近隣の住宅等に設置された、連動を要しない他のグループに属する住警器や緊急地震速報装置との不要な連動を回避できる。
【００６３】
センサ部３４には、煙を検知して信号を出力する検煙部１６を設けている。前述のように、センサ部３４には検煙部１６に代えて、火災による温度を検知するサーミスタ等の温度検知素子や、火災に伴うその他の物理現象変化を検知する各種素子を設けてもよい。
【００６４】
報知部３６には警報音等を出力する音声増幅器５５とスピーカ５６が設けられ、また警報表示等を行うＬＥＤ２２が設けられている。スピーカ５６は、図示しない音声合成回路部から、自己が保持している各種のメッセージや警報音等を出力する。ＬＥＤ２２は点滅や明滅、点灯などにより、火災などの異状その他を表示する。スピーカ５６に代えて、ブザー等を用いても良い。またＬＥＤ２２に代え、２色ＬＥＤや液晶表示器等を設けても良い。もちろん、ＬＥＤと液晶表示器を併設するなどしても良い。
【００６５】
操作部３８には警報停止スイッチ２０が設けられている。警報停止スイッチ２０は、報知部３６からスピーカ５６により火災や障害の警報音を出力しているとき又はＬＥＤ２２により警報表示を行っているときに警報停止スイッチとして機能する。例えば連動元を示す警報中に警報停止スイッチ２０を操作すると、警報音及び警報表示は停止され、連動先を示す警報中に警報停止スイッチ２０を操作すると、警報音は停止するが、警報表示は停止または警報音の停止から所定時間後に停止するといった警報停止処理が行われる。
【００６６】
また警報停止スイッチ２０は、連動元または連動先を示す警報を行っていない通常監視状態において警報停止スイッチ２０は点検スイッチとして機能し、この状態で警報停止スイッチ２０を操作すると、所定の自己点検動作が実行されて報知部３６のスピーカ５６から点検結果を示す音声メッセージなどが出力される。
【００６７】
更に、警報停止スイッチ２０は、通常監視状態において押分け操作によって音圧測定試験の実行を指示する音圧測定試験実行スイッチとして機能する。即ち、通常監視状態において警報停止スイッチ２０を例えば２〜３秒以上長押し操作すると、このときのスイッチ指示入力から音圧測定試験の実行操作が判別され、スイープ警報音を音圧測定の対象となる試験音として所定時間に亘り連続出力する音圧測定試験が実行される。
【００６８】
この音圧測定試験のための試験音の出力中については、警報停止スイッチ２０は試験音停止スイッチとして機能し、所定時間に亘る試験音の出力を必要に応じていつでも停止可能としている。これにより所定時間以内に騒音計による音圧測定が完了した場合、停止操作を行うことで、不必要に試験音を出し続けてしまうことを防止できる。
【００６９】
なお、障害警報中に警報停止スイッチ２０が操作された場合には、所定の自己点検動作を実施して結果を報知した後に障害警報停止処理を行うようにしても良い。このようにすれば、例えばセンサ故障等を再チェックした後に障害警報停止処理が行われるので、ユーザに対し、故障状態をより明確に認知させることができる。そして、このとき障害状態が解消（障害復旧）している場合には、例えば「障害は解消しました」等のメッセージを出力して、障害停止処理（障害復旧処理）に移行しても良い。
【００７０】
電池電源４０は、例えば所定セル数のリチウム電池やアルカリ乾電池を使用しており、電池容量としては住警器１０−１における無線通信部３０を含む回路部全体の低消費電力化により、例えば１０年の電池寿命を保証している。
【００７１】
プロセッサ２８にはプログラムの実行により実現される機能として、監視制御部５８が設けられており、監視制御部５８には、イベント検出部６０、送信処理部６２、受信処理部６４、警報処理部６６の機能が含まれている。また、プロセッサ２８には音圧測定試験に対応して試験実行部６８と試験中断部７０の機能が設けられている。
【００７２】
イベント検出部６０は、センサ部３４の検知信号出力から検知した火災の有無、操作部３８による警報停止指示入力、点検指示入力または試験実行指示入力の有無、センサ部３４の検知信号出力が低下して火災検知状態が解消される火災復旧等のイベントを検知する。またイベント検出部６０は受信子回路４４および受信処理部６４を介して他の住警器からのイベント信号の解読結果として得られたイベント信号有効受信の有無およびそのイベント内容を検知する。
【００７３】
送信処理部６２は、イベント検出部６０によりセンサ部３４の検知信号出力からの火災検知、操作部３８による警報停止、センサ部３４の検知信号出力が低下して火災検知状態が解消される火災復旧等の自己のイベントを検知した場合に、検知したイベントを示すイベント信号を、無線通信部３０の送信回路４２を介してアンテナ３１から連動先となる他の住警器１０−２〜１０−５に送信させる。また送信処理部６２は他の住警器１０−２〜１０−５から有効に受信したイベント信号を、必要に応じて中継送信する。受信処理部６４は、他の住警器１０−２〜１０−５からのイベント信号を、アンテナ３１及び無線通信部３０の受信回路４４を介して受信し解読する。
【００７４】
警報処理部６６は、イベント検出部６０で自己の異状として火災を検知した場合にイベント検出部６０から信号を受け、報知部３６のスピーカ５６から連動元を示す警報音を出力させると共に、ＬＥＤ２２を例えば点灯駆動して連動元を示す警報表示を行い、更に、火災イベント信号を他の住警器に送信する。
【００７５】
具体的に説明すると、警報処理部６６は、センサ部３４に設けた検煙部１６の煙検知信号に基づきイベント検出部５８で火災を検知した場合に、イベント検出部５８からその旨を示す信号を受け取り、これに基づき報知部３６に対しスピーカ５６から連動元を示す警報音例えば「ウーウー  火事です  火事です」の音声警報音を繰り返し出力させる制御を行うと共に、ＬＥＤ２２を点灯させて連動元を示す警報表示制御を行い、更に、送信処理部６２を介して火災を示すイベント信号を無線通信部３０の送信回路４２によりアンテナ３１から他の住警器１０−２〜１０−５に向けて送信させる。
【００７６】
また警報処理部６６は、他の住警器１０−２〜１０−５の何れかから火災イベント信号を無線通信部３０の受信回路４４により受信し、受信処理部６４で有効となった場合に、報知部３６のスピーカ５６から連動先を示す火災警報音（報知音）として例えば「ウーウー  別の火災警報器が作動しました  確認してください」を繰り返し出力させ、同時にＬＥＤ２２を点滅して連動先を示す警報表示を行う。
【００７７】
また警報処理部６６は連動元を示す火災警報音または連動先を示す火災警報音の出力中に警報停止スイッチ２０の操作を検知した場合、又は他の住警器からの警報停止を示すイベント信号有効受信有り又は装置イベント信号有効受信有りを検知した場合、スピーカ５６からの音声メッセージとＬＥＤ２２の警報表示による火災警報の出力を停止する。このときはＬＥＤ２２による警報表示については、所定時間継続した後に停止しても良い。なお、連動元を示す火災警報中には、警報停止を示すイベント信号や装置イベント信号の有効受信があっても、少なくとも警報音の出力は継続させるようにしても良い。
【００７８】
ここで、イベント検出部６０は障害としてローバッテリーと障害センサ障害とを検知する。ローバッテリー障害の検知は、所定の測定時間間隔、例えばＴ１＝４時間間隔で図示しない電圧検知回路を介して直接的又は間接的に、電池電源４０から供給される電源電圧をＡ／Ｄ変換により読み込んで所定の閾値電圧と比較し、この閾値電圧以下の時にローバッテリー障害の検知を予備判定し、更にローバッテリー障害検知の仮判定が連続して所定回数続いたときにローバッテリー障害と判定（確定）し、ローバッテリー障害フラグをセットしてメモリ３２に記憶する。
【００７９】
センサ障害の検知は、所定の測定時間間隔、例えばＴ２＝１秒間隔でセンサ部３４の検煙部１６から出力される煙検知信号をＡ／Ｄ変換により読み込んでメモリ３２のバッファ領域に保持し、例えば所定の時間間隔Ｔ３＝１０分毎に、メモリ３２のバッファ領域に保持している１０分間ぶんの検知データの平均値を求め、この平均値が所定の基準レベル（零点レベルという）を下回った場合に出力停止状態である等としてセンサ部３４の障害と判定し、センサ障害フラグをセットしてメモリ３２に記憶する。
【００８０】
このように煙濃度検知信号の１０分間平均値が零点レベルを下回る原因は、検煙部１６に設けている受光素子故障や受光素子からの出力信号線断線、受光アンプの停止などの障害が発生したことによるものである可能性が高いためセンサ障害とする。
【００８１】
なお、センサ部３４にサーミスタなどの温度検知素子を設けた場合にも、各種の処理により、同様にセンサ障害を検知することができる。その他、スピーカ５６への出力線の断線や他の回路故障、通信異状等を同様に障害監視することができる。このような障害についても、検知後はセンサ障害と同様の処理を行ことから、本実施形態にあってはセンサ障害と総称している。
【００８２】
このように本実施形態におけるローバッテリー障害監視部６８とセンサ障害監視部７０の監視処理はビルトインテストとしてバックグラウンドで自動実行されている。
【００８３】
また警報処理部６６は、イベント検出部６０でローバッテリー障害を検知した場合、報知部３６のスピーカ５６から連動元（障害元）を示すローバッテリー障害の障害警報音としてたとえば「ピッ  電池切れです」を所定回数繰り返して出力させると共にＬＥＤ２２を例えば点滅させ、その後は一定時間毎に「ピッ  電池切れです」を１回出力させ、併せてＬＥＤ２２による表示出力を行わせる処理を周期的に繰り返す。
【００８４】
また警報処理部６６は、ローバッテリー障害を示すイベント信号を他の住警器に送信することで、連動先を示すローバッテリー障害警報として「ピッ  別の警報器が電池切れです」や「ピッ  警報器が電池切れです」の障害警報音を出力させると共に連動元とは異なる点滅表示を行わせる。
【００８５】
また警報処理部６６は、イベント検出部６０でセンサ障害を検知した場合、報知部３６のスピーカ５６から連動元（障害元）を示すセンサ障害の警報音として例えば「ピッ  故障です」の障害警報音を所定回数繰り返して出力させると共にＬＥＤ２２を例えば点滅させ、その後は一定時間毎に「ピッ  故障です」の障害警報音を１回出力させ、併せてＬＥＤ２２による表示出力を行わせる処理を周期的に繰り返す。
【００８６】
また警報処理部６６は、送信処理部６２および送信回路４２を介してセンサ障害を示すイベント信号を他の住警器１０−２〜１０−５に送信することで、連動先を示すセンサ障害警報を出力させる。このとき、障害警報音として例えば「ピッ  別の警報器が故障です」や「ピッ  警報器が故障です」を出力させると共に連動元とは異なる点滅表示を行わせる。
【００８７】
また警報処理部６６は、イベント検出部６０で通常状態での警報停止スイッチ２０の操作による点検指示入力を検知した場合、そのときメモリ３２にローバッテリー障害フラグまたはセンサ障害フラグを記憶している場合には、各障害フラグに対応した障害警報を報知部３６から連動元（障害元）としての警報音と警報表示で行い、同時に、ローバッテリー障害またはセンサ障害を示すイベント信号を他の住警器１０−２〜１０−５に送信して連動先（障害先）としての警報音と警報表示で行なわせる。
【００８８】
更に警報処理部６６は、連動元を示すセンサ障害又はローバッテリー障害警報の出力中に操作部３８に設けた警報停止スイッチ２０の警報停止操作を検知した場合、自己の連動元を示す警報音を停止すると共に障害表示を所定時間継続させた後に停止し、更に連動先を示す障害警報出力中の他の住警器１０−２〜１０−５に警報停止を示すイベント信号を送信して障害警報音と障害表示を停止させる。
【００８９】
次に試験実行部６８と試験中断部７０の機能を説明する。試験実行部６８は、通常監視状態における警報停止スイッチ２０の押分け操作である長押し操作の指示入力を検知して音圧測定試験の実行操作有りを判別する。
【００９０】
即ち、試験実行部６８は、イベント検出部６０により通常監視状態で警報停止スイッチ２０の長押し操作による指示入力を検知した場合、音圧測定試験の実行操作有りを判別し、連動元又は連動先を示す警報音とメッセージの組合せからなる所定パターンの火災警報音の中の音圧測定の対象となるスイープ警報音「ウーウー」の箇所を試験音とし、報知部３６のスピーカ５６から音圧測定試験に必要な所定時間、例えば１分間に亘り、繰り返し出力させる音圧測定試験を実行する。
【００９１】
この音圧測定試験の実行に先立ち測定員は図３に示したように、音圧測定試験を行う例えば住警器１０−１の１メートル前に騒音計２６を予め設置して準備しており、音圧測定試験の実行でスピーカ５６から出力された試験音のピーク値を測定し、７０ｄＢ／ｍ以上あれば正常と判断することになる。
【００９２】
また試験実行部６８は、警報音の出力中に警報停止スイッチ２０の操作有りを判別した場合に音圧測定試験を終了させる。
【００９３】
試験中断部７０は、試験実行部６８による音圧測定試験中、即ち所定時間に亘るにスイープ警報音「ウーウー」を試験音して連続出力中に、監視制御部５８のイベント検出部６０により火災発生を判別した場合、スイープ警報音「ウーウー」をスピーカ５６から連続出力している音圧測定試験を中断し、火災発生に対応した火災警報音をスピーカ５６から出力させる。
【００９４】
ここで、イベント検出部６０による火災発生の判別には、住警器１０−１自身が火災発生を判別する場合と、他の住警器１０−２〜１０−５からの火災イベント信号の有効受信により火災発生を判別する場合があるが、音圧測定試験中は別の場所での火災発生の報知が重要であることから、試験中断部７０は、少なくとも、他の住警器からの火災イベント信号の有効受信による火災発生を判別した場合に、音圧測定試験を中断し、連動先を示す火災警報音をスピーカ５６から出力させる。
【００９５】
このため試験中断部７０は、音圧測定試験中に他の住警器１０−２〜１０−５からの火災イベント信号の有効受信により火災発生を判別した場合、スイープ警報音を用いた試験音「ウーウー」を途中で中断した後に連動先を示す火災警報音を出力させる。
【００９６】
また試験中断部７０は、更に望ましくは、他の住警器１０−２〜１０−５からの火災イベント信号の有効受信により音圧測定試験中に火災発生を判別した場合、スイープ警報音を用いた試験音「ウーウー」の連続出力を中断した後に試験中に異状が発生したことを示すメッセージを含む所定パターンの火災警報音として例えば「ウーウー  試験中に別の警報器が試験中に作動しました  確認してください」を出力させ、試験中に火災が発生したことを明確に知らせるようにする。
【００９７】
図５は本実施形態で連動警報に使用するイベント信号フォーマットを概略的に示した説明図である。図５において、イベント信号４６は連番４８、送信元符号５０、グループ符号５２及びイベント符号５４で構成されている。
【００９８】
連番４８はイベント信号の順番を示す連続番号であり、各端末（住警器）のそれぞれにイベント信号を送信する毎に１つずつ増加させる。また、連番４８は住警器１０及び緊急地震速報装置２５の各々で非同期に生成している。連番４８は住警器１０や緊急地震速報装置２５間の、主に無線通信に於いてイベント信号の中継処理等を管理するためのものであるが、本考案に直接関係しないので詳細な説明を省略する。
【００９９】
送信元符号５０は住警器識別情報として用いられる例えば２６ビットの符号であり、例えば住警器１０、緊急地震速報装置２５のシリアル番号等を利用している。グループ符号５２は例えば８ビットの符号であり、同一グループを構成する例えば図１の住警器１０−１〜１０−５につき例えば同じグループ符号が設定されている。
【０１００】
なおグループ符号５２としては、同一グループの住警器に同一のグループ符号を設定する以外に、例えば予め定めたグループを構成する住警器に共通な基準符号と各住警器に固有な送信元符号との演算から求めた住警器ごとに異なるグループ符号であってもよい。すなわち、イベント信号を受信した各端末（住警器）がそれをもとに自己と同一グループの端末からの信号であるか否かを判定できるものであれば、どのような符号であっても良い。
【０１０１】
イベント符号５４は、火災、ガス漏れ（例えばガス漏れ警報器やガス漏れ検知機能を併せ持つ住警器等の場合）などのイベント内容を表す符号であり、図４の実施形態にあっては４ビット符号を使用しており、例えば
０００１＝火災
００１０＝ガス漏れ
００１１＝警報停止（火災警報停止、ガス漏れ警報停止、障害警報停止）
０１００＝復旧（火災復旧、ガス漏れ復旧、障害復旧）
０１０１＝センサ障害
０１１０＝ローバッテリー障害
としている。ここで、００００はイベント検知を伴わない、例えば定期通報に使用する。
【０１０２】
なおイベント符号５４のビット数は５ビット、６ビットと増加させることで、更に多くのイベント内容を表すことができる。例えば、復旧のイベント符号は火災復旧、ガス復旧、障害復旧に分けても良い。
【０１０３】
図６及び図７は図４の住警器１０における監視処理の例を示したフローチャートである。図６において、住警器１０の電池電源４０による電源供給が開始されると、ステップＳ１で初期化、自己診断、禁止モードの設定の有無を含む各種設定の読み込みを実行し、異状がなければステップＳ２に進み、火災の有無を検知している。
【０１０４】
センサ部３４から出力された煙検知信号が所定の火災レベルを超えるとステップＳ２で火災を検知してステップＳ３に進み、連番、火災を検知している住警器を特定する送信元符号、グループ符号、火災を示すイベント符号を含む火災イベント信号を他の住警器に送信した後、ステップＳ４で報知部３６のスピーカ５６から音声メッセージやブザー音等による火災警報音とＬＥＤ２２の例えば点灯による警報表示とにより連動元を示す火災警報を出力する。
【０１０５】
続いて、ステップＳ５でセンサ部３４からの煙検知信号が低下して火災検知状態が解消する火災復旧の有無を検知しており、火災復旧を検知するとステップＳ６で連番、送信元符号、グループ符号、火災復旧を示すイベント符号を含む火災復旧イベント信号を他の住警器に送信した後、ステップＳ７でスピーカ５６からの警報音とＬＥＤ２２の点灯による警報表示とによる連動元を示す火災警報を停止する。なお、ＬＥＤ２２による警報表示は所定時間経過後に消灯しても良い。
【０１０６】
続いてステップＳ８で警報停止スイッチ２０の警報停止指示操作の有無を検知し、スイッチ操作が検知されるとステップＳ９で警報中の有無を検知する。ステップＳ９で警報中が検知されると、ステップＳ１０に進んで連番、送信元符号、グループ符号、警報停止を示すイベント符号を含む警報停止イベント信号を他の住警器１０−２〜１０−５に送信し、ステップＳ１１に進んでスピーカ５６からの連動元を示す警報音出力を停止し、ＬＥＤ２２の点灯による警報表示を消灯する。なお、ＬＥＤ２２は所定時間経過後に消灯しても良い。
【０１０７】
ステップＳ９で警報中でないこと検知した場合には、ステップＳ８で検知した警報停止スイッチの操作を点検指示動作と認定し、所定の点検動作を実施して結果を報知するようにしているが、図示を省略している。
【０１０８】
続いて図７のステップＳ１２に進み、他の住警器から送信または中継送信された火災を示すイベント信号の有効受信の有無を検知している。他の住警器からの火災を示すイベント信号の有効受信を検知すると、ステップＳ１３に進んで連動先を示す火災警報としてスピーカ５６から警報音を出力し、ＬＥＤ２２の点滅による警報表示を行う。
【０１０９】
次にステップＳ１４で他の住警器から送信または中継送信された火災復旧を示すイベント信号の有効受信の有無を検知しており、火災復旧を示すイベント信号の有効受信を検知すると、ステップＳ１５に進んで連動先の警報として行っているスピーカ５６からの警報音出力とＬＥＤ２２の点滅による警報表示を停止する。
【０１１０】
次にステップＳ１６で他の住警器から送信または中継送信された警報停止を示すイベント信号の有効受信の有無を検知しており、警報停止を示すイベント信号の有効受信を検知すると、ステップＳ１７に進んで警報中の有無を検知し、警報中を検知するとステップＳ１８に進んで連動先としての警報音出力を停止し、警報表示も停止させる。続いてステップＳ１９で音圧測定試験処理を実行する。
【０１１１】
図８は図７のステップＳ１９における音圧測定試験処理の詳細を示したフローチャートである。図８において、ステップＳ２０にあっては、音圧測定試験の実行操作の有無を検知している。通常監視状態で警報停止スイッチ２０の長押し操作により指示入力が検知されるとステップＳ２０で音圧測定試験の実行操作が検知され、ステップＳ２１に進んで連動元または連動先を示す所定パターンの火災警報音の中の音圧測定の対象となるスイープ警報音「ウーウー」の部分の警報音信号を音声合成回路で生成して連続出力し、スピーカ５６からスイープ警報音を試験音して連続出力させる。
【０１１２】
続いてステップＳ２２で所定時間経過の有無を検知しており、所定時間経過を検知するまではステップＳ２３で火災発生の有無を検知しており、火災発生有りを検知することなく所定時間経過を検知すると、ステップＳ２４に進んでスピーカ５６から出力しているスイープ警報音による試験音を停止して音圧測定試験を終了させる。
【０１１３】
一方、ステップ２３で所定時間に亘る試験音の連続出力中、即ち試験中に他の住警器１０−２〜１０−５から有効受信した火災イベント信号から火災を検知すると、ステップＳ２５に進んで音圧測定試験を中断してスピーカ５６からの試験音の出力を停止し、続いてステップＳ２６で連動先の示す火災警報音の出力と警報表示を行う。
【０１１４】
火災警報音の出力中はステップＳ２７で警報停止の有無を検知しており、警報停止を検知するとステップＳ２８に進んで火災警報音と警報表示の停止処理を行う。なお、ステップＳ２７における警報停止の検知は、警報停止スイッチ２０の操作指示入力の検知、他の住警器１０−２〜１０−５から火災復旧を示すイベント信号の有効受信の検知、又は他の住警器から警報停止を示すイベント信号の有効受信の検知のいずれかを判別した場合であり、その詳細は、図６のステップＳ〜Ｓ１１、及び図７のステップＳ１４〜Ｓ１８に示した内容となる。
【０１１５】
図９は本願の実用新案登録請求の範囲に対応した第２考案による住警器の遠隔音圧測定試験と試験中に火災が発生した場合の動作を示しており、本実施形態は、特定の住警器から他の住警器に音圧測定試験を示すイベント信号を送信して遠隔試験を行うようにしたことを特徴とする。
【０１１６】
図９（Ａ）は音圧測定試験の様子を示しており、住警器１０−１〜１０−５の中の住警器１０−１により音圧測定試験の操作を行って他の住警器１０−２〜１０−５の内の住警器１０−３の遠隔試験を行っている様子を示している。
【０１１７】
本実施形態の遠隔試験操作は、図３に示したと同様に、まず試験操作を行う例えば住警器１０−１に騒音計２６を配置して警報停止スイッチ２０を長押し操作すると、音圧測定試験の実行操作が判別され、住警器１０−１のスピーカから火災警報音の中のスイープ警報音「ウーウー」が試験音として連続出力され、騒音計２６によるピーク値の読取りが行われ、７０ｄＢ／ｍ以上あれば正常と判断される。また住警器１０−１の音圧測定試験中に他の住警器１０−２〜１０−５から有効受信された火災イベント信号が有効受信されて火災発生が検知された場合、住警器１０−１の音圧測定試験を中断して連動先を示す火災警報音が出力されることになる。
【０１１８】
これに加え図９の実施形態にあっては、住警器１０−１の音圧測定試験が終了すると、予め設定した順番に従い他の住警器１０−２〜１０−５に対し住警器１０−１から音圧測定試験開始を示すイベント信号が送信され、例えば図９（Ａ）に示すように住警器１０−３で音圧測定試験が遠隔的に行われる。
【０１１９】
この遠隔音圧測定試験にあっては、住警器１０−１からの遠隔音圧試験を行う住警器１０−２〜１０−５の順番が予め定められて測定員に通知されており、例えば住警器１０−１の試験終了で次に住警器１０−３の遠隔試験となることが判っていれば、住警器１０−１の試験終了で次の住警器１０−３の場所に点検員は移動して図示のように騒音計２６を設置して準備することになる。
【０１２０】
住警器１０−１からの音圧測定試験開始を示すイベント信号を有効受信した住警器１０−３は、音圧測定の対象となるスイープ警報音を試験音２５として連続出力する。また住警器１０−１は所定時間経過した後に音圧測定試験終了を示すイベント信号を送信し、このイベント信号を試験中の住警器１０−３で有効受信して音圧測定試験を終了させる。なお、遠隔的な音圧測定試験の終了は試験先の住警器１０−３に設けたタイマによる所定時間経過を検知して終了するようにしても良い。
【０１２１】
遠隔音圧測定試験による住警器１０−３の試験音の連続出力中に、例えば図９（Ｂ）に示すように、住警器１０−５で火災発生が検知されると、他の住警器に火災イベント信号が送信される。この火災イベント信号が音圧測定試験中の住警器１０−３で有効受信されると、音圧測定試験を中断し、連動先を示す火災警報音を出力することになる。
【０１２２】
このように複数の住警器１０−１〜１０−５の中のいずれか１つについて警報停止スイッチ２０による音圧測定試験の実行操作を行うと、実行操作を行った住警器の音圧測定試験を終了した後に、所定の順番に従って他の住警器の音圧測定試験が遠隔的に実行され、住警器毎に警報停止スイッチ２０による音圧実行操作を行う必要がなくなり、複数の住警器が設置されている場合の音圧測定試験を容易に行うことができる。
【０１２３】
なお、住警器１０−３の遠隔音圧測定の試験中に、遠隔試験指示を行った住警器１０−１で警報停止スイッチ２０の停止操作が判別されると、音圧測定試験終了を示すイベント信号が送信され、遠隔指示で開始した音圧測定試験を所定時間が経過する前に途中で停止終了することもできる。
【０１２４】
この遠隔音圧試験の途中終了は、遠隔試験指示を行った住警器１０−１のみならず、遠隔試験中の住警器を含めて、他の住警器に設けた警報停止スイッチ２０の停止操作を判別した場合にも可能としても良い。
【０１２５】
図１０は図９の遠隔指示による音圧測定試験に対応した本願の第２考案に対応した住警器１０−１の実施形態を示したブロック図である。これは一例であり、各機能の分離、統合は任意に行うことができる。また各機能のそれぞれの一部または全部は、ソフトウェア（プログラム）によって実行されるものであっても、ハードウェアによって実行されるものであっても良い。また図４では、台所に設置した住警器１０−１について示しているが、他の住警器１０−２〜１０−５についても同様の構成となる。
【０１２６】
図１０において、住警器１０−１はワンチップＣＰＵとして知られたプロセッサ２８を備え、プロセッサ２８に対してはアンテナ３１を備えた無線通信部３０、メモリ３２、センサ部３４、報知部３６、操作部３８及び電池電源４０を設けている。
【０１２７】
またプロセッサ２８には、プログラムの実行により実現される機能として、監視制御部５８が設けられており、監視制御部５８には、イベント検出部６０、送信処理部６２、受信処理部６４、警報処理部６６の機能が含まれている。また、プロセッサ２８には音圧測定試験に対応して試験実行部６８と試験中断部７０の機能が設けられている。このような構成及び機能の詳細は図４の実施形態と基本的に同じになる。
【０１２８】
これに加え図１０の実施形態にあっては、遠隔的な音圧測定試験に対応してプロセッサ２８に遠隔試験指示部７２と遠隔試験実行部７４としての機能が設けられる。またメモリ３２には遠隔試験の順番を示す送信元符号が登録された遠隔試験管理テーブル７６を予め記憶している。なお、遠隔試験実行部７４の機能は試験実行部６８に含めて１つの機能としても良い。
【０１２９】
試験実行部６８は、イベント検出部６０により通常監視状態で警報停止スイッチ２０の長押し操作による指示入力を検知した場合、音圧測定試験の実行操作有りを検知し、連動元又は連動先を示す警報音とメッセージの組合せからなる所定パターンの火災警報音の中の音圧測定の対象となるスイープ警報音「ウーウー」の箇所を試験音とし、報知部３６のスピーカ５６から音圧測定試験に必要な所定時間、例えば１分間に亘り、繰り返し出力させる音圧測定試験を実行する。これは図４の実施形態と同じであり、遠隔試験指示を行う住警器１０−１自身の音圧測定試験を実行させる。
【０１３０】
遠隔試験指示部７２は、試験実行部６８による住警器自身の音圧測定試験が終了した場合、メモリ３２の遠隔試験管理テーブル７６に登録された順番に従って遠隔指示先となる住警器の送信元符号を含めた音圧測定試開始を示すイベント信号を送信する。
【０１３１】
また遠隔試験指示部７２は、音圧測定試開始を示すイベント信号を送信してから遠隔音圧測定試験に必要な所定時間の経過を判別すると、遠隔指定先となる住警器の送信元符号を含めた音圧測定試験終了を示すイベント信号を送信して遠隔音圧測定試験を終了させる。ここで、音圧測定試験終了を示すイベント信号を送信するまでの所定時間としては、測定員が遠隔試験する住警器の設置場所に移動して騒音計を設置するに充分な時間が必要になることから、例えば５分間を設定する。
【０１３２】
なお、遠隔試験指示部７２は遠隔試験実行中に、警報停止スイッチ２０の操作検知を判別した場合、遠隔試験実行終了を示すイベント信号を他の住警器に送信して遠隔的に試験を終了させることもできる。
【０１３３】
遠隔試験実行部７４は、他の住警器から遠隔試験開始を示すイベント信号の有効受信を検知した場合、連動元又は連動先を示す警報音とメッセージの組合せからなる所定パターンの火災警報音の中の音圧測定の対象となるスイープ警報音「ウーウー」の箇所を試験音とし、報知部３６のスピーカ５６から繰り返し出力させる音圧測定試験を実行する。
【０１３４】
また、遠隔試験実行部７４は、遠隔測定試験の実行中に、他の住警器から遠隔試験終了を示すイベント信号の有効受信を検知した場合、遠隔音圧測定試験を終了させる。
【０１３５】
なお、遠隔試験実行部７４は、遠隔試験開始を示すイベント信号の有効受信を判別した場合、直ぐに音圧測定試験を開始せず、所定の遅延時間後に音圧測定試験を開始することが望ましい。これにより音圧試験開始を示すイベント信号を有効受信してから音圧測定終了を示すイベント信号を有効受信するまでの時間を例えば５分間とした場合、４分の遅延を行うことで、残りの１分間に音圧測定試験を実行して試験音を連続出力させることとなり、最初の４分間は遠隔試験のための測定員の移動と騒音計の設置に必要な準備時間とすることができる。このため音圧測定試験の開始と終了のイベント信号送信の時間間隔を例えば５分に設定していても、その間、試験音を出力し続けるようなことはなく、遠隔試験に伴う測定員の移動と準備を考慮した適切な音圧測定の遠隔試験を可能とする。
【０１３６】
試験中断部７０は、試験実行部６８または遠隔試験実行部７４による音圧測定試験中、即ち所定時間に亘るにスイープ警報音「ウーウー」を試験音して連続出力中に、監視制御部５８のイベント検出部６０により他の住警器１０−２〜１０−５からの火災イベント信号を有効受信して火災発生を検知した場合、スイープ警報音「ウーウー」を試験音としてスピーカ５６から連続出力している音圧測定試験を中断し、火災発生に対応した火災警報音をスピーカ５６から出力させる。
【０１３７】
図１１は図１０の本実施形態で連動警報に使用するイベント信号フォーマットを概略的に示した説明図であり、イベント信号４６は連番４８、送信元符号５０、グループ符号５２及びイベント符号５４で構成され、この点は図５と同じであるが、イベント符号５４として遠隔音圧測定試験に対応して、
０１１１＝音圧測定試験開始
１０００＝音圧測定試験終了
を追加している。
【０１３８】
図１２及び図１３は、図１０の実施形態における音圧測定処理の詳細を示したフローチャートであり、図７に示したメインルーチンのステップＳ１９における音圧測定試験処理に相当する。なお、図１０の実施形態におけるメインルーチンは図６，図７と同じになる。
【０１３９】
図１２において、ステップＳ３０では音圧測定試験の実行操作の有無を検知している。通常監視状態で警報停止スイッチ２０の長押し操作によりステップＳ３０で音圧測定試験の実行操作が検知されると、ステップＳ３１に進んで連動元または連動先を示す所定パターンの火災警報音の中のスイープ警報音「ウーウー」の部分の警報音信号を音声合成回路で生成して連続出力し、スピーカ５６からスイープ警報音を試験音して連続出力させる。
【０１４０】
続いてステップＳ３２で所定時間経過の有無を検知しており、所定時間経過を検知するまではステップＳ３３で火災発生の有無を検知しており、火災発生を検知することなく所定時間経過を検知すると、ステップＳ３４に進んでスピーカ５６から出力しているスイープ警報音による試験音を停止して音圧測定試験を終了させる。
【０１４１】
続いてステップＳ３４に進み、メモリ３２の遠隔試験管理テーブル７６を参照して最初に遠隔試験を指示する他の住警器の送信元符号を選択し、ステップＳ３５で選択した送信元符号を設定した音圧測定試験開始を示すイベント信号をステップＳ３６で送信する。
【０１４２】
続いてステップＳ３７で所定時間経過の有無を検知し、所定時間経過を検知するとステップＳ３８に進み、ステップＳ３５で選択した送信元符号を設定した音圧測定試験終了を示すイベント信号を送信する。
【０１４３】
続いてステップＳ３９で全ての送信元符号の選択済みを検知しない場合はステップＳ３５に戻り、次に遠隔試験を指示する住警器の送信元符号を選択し、ステップＳ３６で選択した送信元符号を設定した音圧測定試験開始を示すイベント信号を送信する。ステップＳ３９で全ての送信元符号の選択済みを検知すると図６、図７のメインルーチンにリターンする。
【０１４４】
なお、ステップＳ３６〜Ｓ３８にあっては、音圧測定開始のイベント信号を送信してから所定時間経過後に音圧測定試験終了のイベント信号を送信することで、遠隔先の住警器での音圧測定試験時間を制御しているが、遠隔先の住警器に設けたタイマで音圧測定試験の開始からの経過時間を監視し、所定時間経過を判別して音圧測定試験を終了させても良い。
【０１４５】
一方、所定時間に亘る試験音の連続出力中、即ち試験中にステップＳ３３で他の住警器からの火災イベント信号の有効受信による火災発生を検知すると、ステップＳ４０に進んで音圧測定試験を中断してスピーカ５６からの試験音の出力を停止し、続いてステップＳ４１で連動先の示す火災警報音の出力と警報表示を行う。
【０１４６】
火災警報音の出力中はステップＳ４２で警報停止の有無を検知しており、警報停止を検知するとステップＳ４３に進んで火災警報音と警報表示の停止処理を行い、図６、図７のメインルーチンにリターンする。
【０１４７】
なお、ステップＳ４３における警報停止の検知は、警報停止スイッチ２０の操作指示入力の検知、他の住警器から火災復旧を示すイベント信号の有効受信の検知、又は他の住警器から警報停止を示すイベント信号の有効受信の検知のいずれかを判別した場合であり、その詳細は、図６のステップＳ〜Ｓ１１、及び図７のステップＳ１４〜Ｓ１８に示したと同じ内容になる。
【０１４８】
一方、図１２のステップＳ３０で音圧測定試験の実行操作を検知しなかった場合は図１３のステップ４４に進み、他の住警器からの音圧測定試験開始を示すイベント信号の有効受信の有無を検知している。ステップＳ４４で音圧測定試験開始を示すイベント信号有効受信を検知すると、ステップＳ４６に進み、連動元または連動先を示す所定パターンの火災警報音の中のスイープ警報音「ウーウー」の部分の警報音信号を音声合成回路で生成して連続出力し、スピーカ５６からスイープ警報音を試験音して連続出力させる。
【０１４９】
続いてステップＳ４６で音圧測定試験終了を示すイベント信号有効受信の有無を検知しており、有効受信を検知するまではステップＳ４７で火災発生の有無を検知しており、火災発生を検知することなく音圧測定試験終了を示すイベント信号を検知すると、ステップＳ４８に進んでスピーカ５６から出力しているスイープ警報音による試験音を停止して音圧測定試験を終了させる。
【０１５０】
一方、ステップ６８で試験中に他の住警器からの火災を示すイベント信号の有効受信による火災発生を検知すると、ステップＳ４９に進んで音圧測定試験を中断してスピーカ５６からの試験音の出力を停止し、続いてステップＳ５０で連動先の示す火災警報音の出力と警報表示を行う。
【０１５１】
火災警報音の出力中はステップＳ５１で警報停止の有無を検知しており、警報停止を検知するとステップＳ５２に進んで火災警報音と警報表示の停止処理を行う。この場合のステップＳ５１における警報停止の検知は、警報停止スイッチ２０の操作指示入力の検知、他の住警器から火災復旧を示すイベント信号の有効受信の検知、又は他の住警器から警報停止を示すイベント信号の有効受信の検知のいずれかであり、その詳細は、図６のステップＳ〜Ｓ１１、及び図７のステップＳ１４〜Ｓ１８に示したと同じ内容となる。
【０１５２】
なお、上記の実施形態は火災を検知して警報する住警器を例にとるものであったが、ガス漏れ警報器、ＣＯ警報器、各種の防犯用警報器を配置した警報システムやそれら各種の警報器を混在させて配置した警報システムについても同様に適用できる。
【０１５３】
また、警報器の連携は無線通信によるものでなくても良く、有線通信によっても、また有線と無線を適宜混在させるものであっても良い。
【０１５４】
また、上記の実施形態で警報停止スイッチ２０として示した操作手段は、必ずしもスイッチである必要は無く、リモコン装置等を使用して外部からの通信によって警報履歴出力を指示するもの等、どのような手段や方法を適用しても良い。
【０１５５】
また上記の実施形態で述べた「受信がある」、「受信が無い」、「受信した場合」、「受信を検知」等は、受信した信号が有効なものとして認識されたか否かの検知も含んでいる。
【０１５６】
また、警報器の規格等によっては、上記実施形態のＬＥＤによる表示が「警報」と認められない場合があるが、本考案では規格上「警報」に含まれるか否かに関わらず、警報表示、警報に伴う表示、または単に表示として記載している。本考案の目的を達成できるものであれば、どのような表示手段を用いても構わない。そして、表示部は警報器と別体に設けられていても良い。
【０１５７】
また、上記の実施形態では、電池電源によって動作する住警器を例に取ったが、電池電源以外の電源で動作するものにも本考案を適用できる。
【０１５８】
また、上記の実施形態は住宅用に限らずビルやオフィス用など各種用途の警報器にも適用できる。
【０１５９】
また、上記の実施形態は警報器にセンサ部と警報出力処理部を一体に設けた場合を例にとるが、他の実施形態として、センサ部と警報出力処理部を別体とした警報器であっても良い。
【０１６０】
また上記の実施形態におけるフローチャートは処理の概略例を説明したもので、処理の順番等はこれに限定されない。また各処理や処理と処理の間に必要に応じて遅延時間を設けたり、他の判定を挿入する等ができる。
【０１６１】
また本考案は上記の実施形態に限定されず、その目的と利点を損なうことのない適宜の変形を含み、更に上記の実施形態に示した数値による限定は受けない。
【符号の説明】
【０１６２】
１０，１０−１〜１０−５：住警器
１２：カバー
１４：本体
１６：検煙部
１７：取付フック
１８：音響孔
２０：警報停止スイッチ
２１：モードスイッチ
２２：ＬＥＤ
２４：住宅
２５：試験音
２６：騒音計
２７：火災警報音
２８：プロセッサ
３１：アンテナ
３０：無線通信部
３２：メモリ
３４：センサ部
３６：報知部
３８：操作部
４０：電池電源
４２：送信回路
４４：受信回路
４６：イベント信号
４８：連番
５０：送信元符号
５２：グループ符号
５４：イベント符号
５６，７４：：スピーカ
５８：監視制御部
６０：イベント検出部
６２：送信処理部
６４：受信処理部
６６：警報処理部
６８：試験実行部
７０：試験中断部
７２：遠隔試験指示部
７４：遠隔試験実行部
７６：遠隔試験管理テーブル
【図１】
0003190746.tif 000003
【図２】
0003190746.tif 000004
【図３】
0003190746.tif 000005
【図４】
0003190746.tif 000006
【図５】
0003190746.tif 000007
【図６】
0003190746.tif 000008
【図７】
0003190746.tif 000009
【図８】
0003190746.tif 000010
【図９】
0003190746.tif 000011
【図１０】
0003190746.tif 000012
【図１１】
0003190746.tif 000013
【図１２】
0003190746.tif 000014
【図１３】
0003190746.tif 000015
【手続補正書】
【提出日】平成26年3月18日(2014.3.18)
【手続補正１】
【補正対象書類名】実用新案登録請求の範囲
【補正対象項目名】全文
【補正方法】変更
【補正の内容】
【実用新案登録請求の範囲】
【請求項１】
センサ部により火災等の異状発生を検知した場合にスピーカから連動元を示すメッセージ及び警報音を含む所定パターンの異状警報音を出力すると共に無線通信部により他の警報器に異状発生を示すイベント信号を送信し、一方、他の警報器からの異状発生を示すイベント信号受信を無線通信部で受信して検知した場合に前記スピーカから連動先を示す所定パターンの異状警報音を出力させる監視制御部と、
操作部のスイッチ操作による音圧測定試験の実行操作を検知した場合、前記スピーカから前記所定パターンの異状警報音の内の音圧測定の対象となる所定箇所を試験音として出力させて音圧測定試験を実施可能とする試験実行部と、
前記試験実行部による前記試験音の出力処理が終了した後に、前記無線通信部により他の警報器に遠隔試験実行を示すイベント信号を送信する遠隔試験指示部と、
他の警報器から前記遠隔試験実行を示すイベント信号受信を前記無線通信部で受信して検知した場合、前記監視制御部に、前記スピーカから前記異状警報音の内の音圧測定対象となる所定箇所を試験音として出力させる処理を行わせて音圧測定試験を実施可能とする遠隔試験実行部と、
前記試験実行部または遠隔試験実行部による前記スピーカからの前記試験音の出力処理中に自己の前記監視制御部により異状発生を検知した場合、前記前記試験音の出力処理を中断して前記所定パターンの異状警報音を出力させる試験中断部と、
を設けたことを特徴とする警報器。
【請求項２】
請求項１記載の警報器に於いて、前記操作部は前記監視制御部により前記スピーカから出力している前記所定パターンの異状警報音を停止する警報停止スイッチを備え、
前記試験実行部は、通常監視状態における前記警報停止スイッチの操作を検知して前記音圧測定試験の実行操作を判別することを特徴とする警報器。
【請求項３】
請求項１載の警報器に於いて、前記遠隔試験指示部は、他の警報器に音圧測定試験開始を示すイベント信号を前記無線通信部から送信し、所定時間後に、他の警報器に音圧測定試験終了を示すイベント信号を前記無線通信部から送信することを特徴とする警報器。
【請求項４】
請求項１記載の警報器に於いて、
前記遠隔試験指示部は、他の警報器に音圧測定試験開始を示すイベント信号を前記無線通信部から送信し、
前記試験実行部は前記音圧測定試験開始を示すイベント信号を前記無線通信部から有効受信してから所定時間に亘り前記スピーカから前記試験音を出力させることを特徴とする警報器。
【請求項５】
請求項３又は４記載の警報器に於いて、前記試験実行部は前記音圧測定試験開始を示すイベント信号を前記無線通信部により有効受信してから所定の遅延時間後に前記スピーカから前記試験音を出力させることを特徴とする警報器。
【請求項６】
請求項１記載の警報器に於いて、前記試験中断部は、音圧測定試験中に前記監視制御部により異状発生を検知した場合、前記スピーカによる前記試験音の出力処理を途中で中断した後に前記所定パターンの異状警報音を出力させることを特徴とする警報器。
【請求項７】
請求項１記載の警報器に於いて、前記試験中断部は、音圧測定試験中に前記監視制御部により異状発生を検知した場合、前記スピーカによる前記試験音を中断した後に、試験音の出力中に異状が発生したことを示す前記所定パターンの異状警報音とは異なるパターンの異状警報音を前記スピーカから出力させることを特徴とする警報器。